(57)【特許請求の範囲】
【請求項１】
患者の生体情報を取得する取得部と、
前記生体情報に基づいて前記患者の生体の状態について良否を判定する基準として、経時的に変化する閾値を記憶する記憶部と、
前記取得部によって取得された前記生体情報を、取得時の時間に基づく前記閾値と比較して、前記患者の生体の異常を判定する判定部と、
取得された前記生体情報の経時的な変化のパターンをモニタリングするモニタリング部と、を有し、
前記記憶部は、前記生体情報の経時的な変化の基準パターンを予め記憶しており、
前記判定部は、前記モニタリング部によりモニタリングされた前記生体情報の経時的な変化のパターンを、前記記憶部に記憶されている基準パターンと照合し、一致する場合に、前記異常の判定を開始する生体情報モニタリング装置。
【請求項２】
任意の時間と当該任意の時間における前記閾値との組について、複数組の入力を受け付ける受付部と、
入力された複数組に基づいて、前記閾値の経時的な変化を設定する設定部と、
をさらに有する請求項１に記載の生体情報モニタリング装置。
【請求項３】
前記判定部は、取得した前記生体情報が前記閾値に達したかを判定し、
前記判定部により前記生体情報が前記閾値に達したと判定される場合、警報を発する警報部をさらに有する請求項１または請求項２に記載の生体情報モニタリング装置。
【請求項４】
前記記憶部は、経時的に変化する前記閾値を複数記憶し、
前記判定部は、何れの前記閾値に達したかによって、異常の度合を判定する請求項１〜３のいずれか一項に記載の生体情報モニタリング装置。
【請求項５】
前記記憶部は、経時的に変化しない閾値をさらに記憶する請求項１〜４のいずれか一項に記載の生体情報モニタリング装置。
【請求項６】
前記生体情報は、動脈血酸素飽和度についての情報である請求項１〜５のいずれか一項に記載の生体情報モニタリング装置。
【請求項７】
前記警報部は、異なる複数の警報を発することができ、
前記警報部は、前記判定部によって判定された異なる複数の異常の度合に対応する前記警報を発する請求項３〜６のいずれか一項に記載の生体情報モニタリング装置。
【請求項８】
表示部をさらに有し、
少なくとも一つの前記経時的に変化する閾値と、前記異常の判定中に取得された生体情報の経時的な変化のパターンとを前記表示部に表示させる請求項１〜７のいずれか一項に記載の生体情報モニタリング装置。
【請求項９】
前記閾値は、前記時間に対して段階的に変化する請求項１〜８のいずれか一項に記載の生体情報モニタリング装置。
【請求項１０】
前記閾値は、さらにユーザ入力に基づいて段階的に順次切り替わる請求項９に記載の生体情報モニタリング装置。
【請求項１１】
前記閾値は、ユーザ入力に基づいて段階的に順次切り替わる請求項１〜８のいずれか一項に記載の生体情報モニタリング装置。
【請求項１２】
前記警報部は、前記段階的に変化する閾値の段階毎に、異なる警報を発する請求項９〜１１のいずれか一項に記載の生体情報モニタリング装置。
【発明の詳細な説明】
【技術分野】
【０００１】
本発明は、生体情報モニタリング装置に関し、特にアラームの閾値を適切に設定するようにした生体情報モニタリング装置に関する。
【背景技術】
【０００２】
医療現場において、患者の身体状態をモニタリングするために、患者の生命や健康の維持に関する生体情報を取得する医療機器が使用されている。生体情報とは、たとえば動脈血酸素飽和度、心拍数、血糖値、脳波等であり、生体に取り付けた受信機により生体信号として検出される。このような医療機器のうち、検出した生体信号について閾値を設定し、生体信号が閾値に達した場合に異常と判断して、アラームを鳴動させるものがある。アラームの鳴動に従って医療従事者が適宜処置することにより、患者の生命や健康の維持が図られる。
【０００３】
これに関連する技術として、現在の生体情報を表示しながらタッチパネル上で閾値を容易に設定できるように構成された医療機器に関するものがある（特許文献１参照）。
【先行技術文献】
【特許文献】
【０００４】
【特許文献１】２００１−００７０２５７号公報
【発明の概要】
【発明が解決しようとする課題】
【０００５】
しかしながら、上記特許文献１記載の技術では、現在の生体情報をモニタリングしながら閾値を設定できるものの、閾値は一定値にしか設定されない。正常な状態で時間的に変化する生体情報について、特許文献１記載の発明を適用しても、異常を検出できない場合がある。たとえば、時間と共に計測値が上昇する生体情報について、初期の許容範囲に基づいて下限の閾値を設定した場合、一度生体信号がその閾値を越えるとその後は常時下限の閾値以上であるので、閾値は意味をなさない。一方、最終的な許容範囲に基づいて下限の閾値を設定した場合、当該閾値に到達するまでアラームが鳴動し続けることになる。これでは、正常に生体信号が上昇している最中も異常と判断され、医療従事者に無用な心配をかけ、また周囲の人にストレスとなってしまう。
【０００６】
本発明は上記事情に鑑みてなされたものであり、経時的に変化する生体信号についても、適切に異常をモニタリングできる生体モニタリング装置を提供することを目的とする。
【課題を解決するための手段】
【０００７】
本発明の生体情報モニタリング装置は、取得部と、記憶部と、判定部と、モニタリング部とを有する。取得部は、患者の生体情報を取得する。記憶部は、生体情報に基づいて患者の生体の状態について良否を判定する基準として、経時的に変化する閾値を記憶する。判定部は、取得部によって取得された生体情報を、取得時の時間に基づく閾値と比較して、患者の生体の異常を判定する。モニタリング部は、取得された生体情報の経時的な変化のパターンをモニタリングする。記憶部は、生体情報の経時的な変化の基準パターンを予め記憶している。判定部は、モニタリング部によりモニタリングされた生体情報の経時的な変化のパターンを、記憶部に記憶されている基準パターンと照合し、一致する場合に、異常の判定を開始する。
【発明の効果】
【０００９】
本発明によれば、閾値が経時的に変化するように設定されるので、経時的に変化する生体情報についてもモニタリング対象に則した適切な閾値を設定することができる。したがって、より適切な処置を患者に提供することができ、またより快適な医療環境を達成することができる。
【図面の簡単な説明】
【００１０】
【図１】本発明の第１の実施形態に係る生体情報モニタリング装置の全体構成を示すブロック図である。
【図２】図１に示される生体情報モニタリング装置により設定されうる閾値、および取得された計測値の例を概略的に示すグラフの例を示す図である。
【図３】第１の実施形態に係る閾値のグラフにおいて、設定された時間で閾値が切り替えられる例を示す図である。
【図４】第２の実施形態に係る閾値のグラフにおいて、手動で閾値が切り替えられる例を示す図である。
【発明を実施するための形態】
【００１１】
（第１の実施形態）
以下、本発明の実施形態を、図面を参照して詳細に説明する。
【００１２】
図１は、本発明の第１の実施形態に係る生体情報モニタリング装置の構成を示すブロック図である。本実施形態に係る生体情報モニタリング装置１０は、ベッドサイドモニタとして構成され、センサ部１１、信号処理部１２、制御部１３、記憶部１４、操作部１５、警報部１６、表示部１７および外部入力受信部１８を有する。これらは信号をやり取りするためのバスまたはケーブル等を介して相互に接続されている。なお、生体情報モニタリング装置１０は、侵襲的または非侵襲的に患者から生体情報を取得できる。
【００１３】
センサ部１１は、患者の生体に装着されて、取得部として生体から生体情報を取得する。たとえば、センサ部１１は、プローブ、カフまたは電極パッド等である。センサ部１１により取得された生体情報は、たとえばアナログ信号として、信号処理部１２に伝達される。
【００１４】
信号処理部１２は、センサ部１１により取得された生体情報を受け取り、生体情報を処理する。たとえば、信号処理部１２は、生体情報の種類によって必要とされる、信号増幅、ＦＦＴ（高速フーリエ変換）、Ａ／Ｄ変換等を実行し、制御部１３により解釈可能な信号として生体信号に変換する。信号処理部１２により処理された生体信号は、制御部１３に伝達される。なお、生体情報は、その種類によって、信号処理部１２を介することなく制御部１３に伝達され、生体信号として受信されることもある。
【００１５】
制御部１３は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）、およびインタフェース等から構成される。ＣＰＵは、プログラムにしたがって上記各部の制御や各種の演算処理を実行する。ＲＯＭまたはＲＡＭは、各種プログラムや各種データを格納する。インタフェースは、外部入力信号受信部１８からの信号を受信する。これらの構成要素は、制御部１３の内部バスにより相互に接続されている。制御部１３の各機能は、各機能に対応するプログラムをＣＰＵが実行することにより発揮される。
【００１６】
記憶部１４は、フラッシュメモリまたはＨＤＤ（Ｈａｒｄ  Ｄｉｓｋ  Ｄｒｉｖｅ）等から構成され、オペレーティングシステムを含む生体情報モニタリング装置１０の各構成要素を制御するためのプログラムを記憶する。また、記憶部１４は、生体情報ごとに設定された閾値等を記憶する。記憶部１４は、生体が異常な状態となるなどの特定の生体状態において経時的に変化する生体情報については、閾値が経時的に変化するように、閾値と時間との組についての情報を記憶する。また、記憶部１４は、上記特定の生体状態に陥る直前に、所定の経時的変化パターンを示す、あるいは所定の値を示す生体情報（上記特定の生体状態において経時的に変化する生体情報と必ずしも同じ生体情報であるとは限らない）については、センサ部１１により計測された生体情報の経時的な変化のパターン（以下、生体情報の値そのものも含む）をリアルタイムで記憶する。また、記憶部１４は、必要な生体情報に関しては、警報部１６が発する異なる複数の警報のパターンや警報音レベルについての設定を記憶する。なお、記憶部１４は、過去に発生した警報の履歴等を記憶するように構成されてもよい。
【００１７】
操作部１５は、医療従事者等を含むユーザによる閾値に関する設定を受け付ける。たとえば、操作部１５は、時間と閾値との組についての設定値の入力を受け付け、当該入力された設定値を記憶部１４に伝達して記憶させる。また、操作部１５は、取得された生体情報の経時的な変化のパターンのモニタリングを開始するためのユーザによる指示を受け付け、当該指示に基づいて制御部１３は生体情報のモニタリングを開始する。
【００１８】
警報部１６は、制御部１３による判断に基づいて、警報を発する。具体的には、制御部１３により生体信号が閾値に達したと判断される場合、制御部１３による警報を発する指示が警報部１６に伝達され、警報部１６は警報を発する。なお、警報部１６は、上記複数の閾値毎に異なる警報を発することができる。また、警報部１６は、時間に対して段階的に変化する閾値について、当該閾値の段階毎に異なる警報を発するように構成されうる。また、警報は、表示部１７に視覚的に表示されてもよい。
【００１９】
表示部１７は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）等であり、各種の情報を表示する。たとえば、表示部１７は、制御部１３により生成および送信される、生体情報の計測値についての画像データに基づいて、当該計測値と少なくとも１つの上記閾値とを表示する。計測値と閾値とは、たとえばトレンドグラフとして折れ線グラフの形態に表示される。なお、表示部１７は、タッチパネルとして構成され、操作部１５と一体となるように構成されてもよい。
【００２０】
外部入力受信部１８は、外部機器からの信号を受信する。外部入力受信部１８は、外部機器からの入力信号を受信し、当該入力信号を制御部１３に伝達する。当該入力信号と所定の記憶された情報とが制御部１３により照合され、一致すると判断される場合、制御部１３による生体情報の判定が開始される（詳細は後述する）。ここで、外部機器とは、たとえば、生体情報モニタリング装置１０により取得される生体情報とは別の種類の生体情報を取得する医療機器である。
【００２１】
なお、生体情報モニタリング装置１０は、上述した構成要素以外の構成要素を含んでいてもよく、あるいは、上述した構成要素のうちの一部が含まれていなくてもよい。
【００２２】
次に、上述の構成要素により閾値が設定され、設定された閾値と取得された生体情報とを比較して生体情報が閾値に達したかを判定し、警報が発せられる処理について説明する。閾値は、受付部としての操作部１５を介してユーザにより入力され、当該入力が設定部としての制御部１３に伝達され設定される。設定された閾値は、記憶部１４に記憶される。操作部１５を介するユーザによる入力または後述のモニタリング部による判断に基づいて、生体情報の異常判定が開始される。生体情報の異常判定の処理中、患者の生体情報はセンサ部１１により取得され、取得された生体情報は信号処理部１２により適宜処理され、制御部１３により受信される。制御部１３は、判定部として、受信した生体情報と記憶部１４に記憶された閾値とを比較し、生体情報が閾値に達したかを判定する処理を実行する。生体情報が閾値に達したと判定される場合、制御部１３は、警報部１６に警報を発するように指示する。警報の指示を受信した警報部１６は、警報を発する。なお、後述するように、警報は複数段階に設定でき、閾値毎にまたは閾値の段階毎に設定できる。
【００２３】
次に、上記生体情報の異常判定開始のためのモニタリング部による判断について説明する。制御部１３は、生体情報の異常を判定していない時も、モニタリング部として、信号処理部１２を経てセンサ部１１から受信された生体情報の経時的な変化のパターンをモニタリングする。このようなモニタリング処理中に取得された生体情報の経時的変化パターンは、記憶部１４に記憶される。制御部１３は、モニタリング中に取得された生体情報の経時変化パターンと記憶部１４に記憶される基準パターン（以下、生体情報の値そのものに対応するものとして基準値も含む）とを照合し、一致するか否かを判断する。一致すると判断される場合、生体情報モニタリング装置１０による生体情報の異常を判定する処理が開始される。なお、基準パターンとは、生体情報モニタリング装置１０により検出される生体情報についての、生体の異常の前兆を示す既知のパターンである。たとえば、救急の脳障害において脳低温療法が行われることがある。この場合、冷却処置により低下した体温が設定値（基準値）に達した時、脳内圧目標値を治療結果の良いとされる低い値（例えば１０ｍｍＨｇ）に切り替え、脳内圧の異常を判定する処理が開始される。脳低温療法中は脳内圧が管理目標値（閾値）から逸脱しないように冷却処置を継続して所要の処置が施され、脳内圧が管理目標値（閾値）から逸脱した際には警報にて通知される。所要の処置が終了し、復温処置にて体温が戻されたことを検出して、脳内圧の目標値は高い値（例えば２０ｍｍＨｇ）に自動で切り替えられ、脳内圧が安定するまで判定処理が継続される。また、基準パターンは、情報モニタリング装置１０により検出される種類の生体情報に限定されない。異なる種類の生体情報が外部入力受信部１８から受信され、当該異なる種類の生体情報の基準パターンと照合されるようにしてもよい。
【００２４】
以下、図２および図３を参照して、本実施形態に係る生体情報モニタリング装置により閾値を設定して警報を発生させるための設定について詳細に説明する。
【００２５】
図２は図１に示される生体情報モニタリング装置により設定される閾値および取得された計測値の例を概略的に示すグラフの例を示す図、図３は第１の実施形態に係る閾値のグラフにおいて、設定された時間で閾値が切り替えられる例を示す図である。
【００２６】
図２に示されるように、横軸として時間が設定され、縦軸として生体情報が設定されている。この生体情報の計測値は、正常な状態で経時的に上昇する。そのために、計測値に対して、第１および第２閾値が時間の経過にしたがって上昇するように設定される。また、図２に示されるように、時間的に変化しない閾値として、第３閾値が設定されてもよい。
【００２７】
閾値と計測値とは、対比できるように表示されうる。図２には、計測値が第１閾値の上方、第３閾値の下方に示されている。すなわち、第１閾値が計測値の下限の閾値として設定され、第３閾値が上限の閾値として設定されている。また、第１閾値よりもより高い異常の度合としての閾値を設定するために、第２閾値が第１閾値よりも下方に設定されている。このように、本実施形態では、上限および下限の閾値の両方について、複数の異常の度合い毎に閾値を設定できる。
【００２８】
次に、図３を参照して、図２に示される経時的に変化する生体情報に対して閾値を設定し、生体情報が閾値に達するかを判断して異常を判定する処理について、以下詳細に説明する。
【００２９】
図３に示されるように、時間的に変化する生体情報の例として、出生直後の新生児の動脈血酸素飽和度（ＳｐＯ２）がある。ＳｐＯ２は、特に出生直後の新生児に対して心肺蘇生を施す際の重要な指標であり、出生時から１０分間に、所定のＳｐＯ２値を満たすように新生児に対して酸素供給を確保しなくてはならない。たとえば、出生直後の新生児の身体状況に応じて、出生時（基準時間）からＳｐＯ２の測定を開始し、基準時間から１分後は６０％以上、３分後は７０％以上、５分後は８０％以上、および１０分後は９０％以上のＳｐＯ２を確保する必要がある。また、この間、新生児のＳｐＯ２の上限は、９５％を越えないように維持しなくてはならない。
【００３０】
本実施形態では、このような生体情報に対して、経時的に変化する閾値を設定するために、所望の時間と閾値との組が設定されうる。閾値の経時的な変化は、図３に示されるように、時間に対して段階的に閾値が変化するように設定されうる。このような閾値を設定するための時間と閾値との組の例は、下記表１に示される通りである。
【００３１】
【表１】
0005543399.tif 000002
【００３２】
表１に示される設定にしたがって時間に対して閾値が設定される様子は、図３に示される通りである。表１に示されるように、時間と閾値との組が第１〜第３閾値のそれぞれについて設定され、当該設定に対応して図３に示される閾値の経時変化が設定されうる。具体的には、図３の「基準時間」が表１の「開始」に対応し、「Ａ」〜「Ｄ」が「１分」〜「１０分」に対応する。なお、基準時間としては、たとえば、上述のように、モニタリング部によりモニタリングされる生体情報の経時変化パターンと基準パターンとが一致すると判断された時、ユーザ操作に基づく指示が制御部１３により受信された時、または生体情報の異常判定を開始した時等が設定されうる。
【００３３】
また、生体情報モニタリング装置１０による生体情報の異常判定期間中、制御部１３により生体情報の計測値が第１閾値に達したと判定される場合、表１に示される警報のレベル設定にしたがって、「低」レベルの警報が警報部１６から発せられる。また、開始から３分までの期間中、生体情報の計測値が下限としての第１閾値よりさらに降下して、次の下限である第２閾値に達したと判定される場合、表１に示される警報の優先度にしたがって、「低」レベルであった警報が「中」レベルの警報に切り替えられる。すなわち、計測値が第２閾値に達したと判定されたことにより、より高度の異常の度合が判定されたことになる。また、全期間にわたって計測値が上限としての第３閾値に達した場合も、「中」レベルの警報が発生される。さらに、開始から３分以降の期間中に計測値が第２閾値に達した場合、制御部１３は生体情報が第２閾値に達したと判定し、「低」レベルであった警報が「高」レベルの警報に切り替えられる。
【００３４】
以上のように、本実施形態によれば、閾値と時間との組について設定することにより、経時的に変化する閾値を設定でき、経時的に変化する生体情報に則した適切な閾値を設定できる。したがって、生体情報が経時的に変化しても、当該生体情報についての閾値が無意味となったり、最終的な閾値の目標値について警報を発し続けたりする事態を防ぐことができる。これにより、より適切な処置を患者に提供することができ、より快適な医療環境を達成することができる。
【００３５】
（第２の実施形態）
次に、図４を参照して、本発明の第２の実施形態について詳細に説明する。なお、生体情報モニタリング装置１０の構成およびその他の第１の実施形態と同様の構成については、重複を避けるためその説明を省略する。
【００３６】
図４は、本実施形態に係る閾値のグラフにおいて、手動により閾値が切り替えられる例を示す図である。本実施形態では、閾値が段階的に変化するように設定される場合、閾値変化のタイミングを手動により操作することができる。たとえば、下記表２に示されるように、開始からの経過時間とは無関係に、ユーザによる操作により閾値の段階が変化されうる。
【００３７】
【表２】
0005543399.tif 000003
【００３８】
表２に示される設定にしたがって閾値が変化される様子は、図４に示される通りである。表２に示されるように、時間と閾値との組が第１および第２閾値のそれぞれについて設定され、当該設定に対応して図４に示される閾値の経時変化が設定される。具体的には、図４の「基準時間」が表２の「開始」に対応し、「Ｅ」〜「Ｇ」が「操作１」〜「操作３」に対応する。表２に示される第１閾値および第２閾値に対する警報のレベルの設定については、上記表１について説明した通りである。なお、閾値を次の段階に切り替える操作は、たとえば操作部１５においてユーザ入力を受け付けることにより達成される。
【００３９】
以上のように、第１の実施形態による効果に加え、本実施形態によれば、ユーザが医療現場において処置の進行状況に合わせて、臨機応変に閾値の段階を順次進めることができるので、より適切な処置を施すことができる。
【００４０】
本発明は、上述した実施形態のみに限定されるものではなく、特許請求の範囲内において、種々改変することができる。
【００４１】
閾値が時間に対して段階的に変化する第１の実施形態と、手動により閾値が切り替えられるようにした第２の実施形態とを組み合わせてもよい。手動により閾値を切り替えた場合、次の閾値に切り替わる時間は、開始から継続する経過時間でもよいし、予め設定されているその閾値における設定時間経過後でもよい。閾値が段階的に変化する時間は、標準的なものでもよいし、許容される最大値でもよい。このようにすれば、第１の実施形態および第２の実施形態の効果を併せ持つのみでなく、ユーザにとって、より柔軟性が生まれ、より適切な処置を施すことができる。
【００４２】
上記では、具体例を用いて、閾値が段階的に変化する形態について述べた。しかし、これに限定されない。段階的にではなく、経時的に徐々に変化する閾値についても設定できる。たとえば、表１について述べた時間と閾値との組について、当該組の各々の時間間隔内における閾値が一定ではなく、たとえば１次または２次関数的に変化するように設定することもできる。こうすることで、経時的に連続的に変化する閾値が設定されうる。この場合、所定の閾値幅毎に異なる警報レベルを設定してもよい。
【００４３】
上記実施形態では、ＳｐＯ２を経時的に変化する生体情報として述べた。しかし、これに限定されない。たとえば、本願発明を適用できる他の生体情報として、ビリルビンが挙げられる。光線治療中における新生児の体内のビリルビンは、経時的に変化するので、本願発明を適用することにより、より適切な処置を可能とする。
【００４４】
また、上記実施形態では、表１および表２に示されるように、時間と閾値との組がルックアップテーブルとして実装される形態について述べた。しかし、これに限定されない。いかなるフォーマットが使用されてもよい。
【００４５】
なお、警報レベルの設定は、操作部１５を介するユーザ入力に基づいてもよいし、あるいは外部入力受信部１８を介する外部機器（不図示）からの入力に基づいてもよい。たとえば、当該設定のための専用のアプリケーションがインストールされたＰＣ（Ｐｅｒｓｏｎａｌ  Ｃｏｍｐｕｔｅｒ）が外部入力受信部１８を介して接続され、当該ＰＣにより設定できるように構成されうる。また、警報レベルは、当該入力に基づいて、制御部１３により設定されうる。
【００４６】
上記実施形態では、生体情報モニタリング装置としてベッドサイドモニタを例としたが、これに限定されない。無線や有線ネットワークを利用したセントラルモニタリングシステムに適用してもよい。
【符号の説明】
【００４７】
１０  生体情報モニタリング装置、
１１  センサ部、
１２  信号処理部、
１３  制御部、
１４  記憶部、
１５  操作部、
１６  警報部、
１７  表示部、
１８  外部入力受信部。
【図１】
0005543399.tif 000004
【図２】
0005543399.tif 000005
【図３】
0005543399.tif 000006
【図４】
0005543399.tif 000007